(57)【要約】      （修正有）【課題】この種の熱交換器は熱の発生する大型装置の冷却をするために設けられているが、熱交換効率のみが考慮され一方通行のものや、一往復のみの流通路のものが汎用されていた。【解決手段】空気流通部となる間隔を有したフィン１と、フィン１を貫通させた伝熱管２と、伝熱管２を貫通させ開口部を開口させた管板３と、開口部を覆うように入出側水室４ａとターン側水室５ａとを設けた入出側水室ケーシング４とターン側水室ケーシング５と、入出側水室４ａに連通して入出側水室ケーシング４に突設させた入口管６と出口管７と、入出側水室４ａとターン側水室５ａとを仕切る仕切板８とを備え、入出側水室４ａは入口管６と出口管７とを仕切板８で仕切り、ターン側水室５ａは中央辺で仕切ることにより入出側水室４ａとターン側水室５ａと伝熱管２で構成される液体流通路を二往復させるものである。【選択図】図１
0003138870.tif 000002
【実用新案登録請求の範囲】
【請求項１】
夫々空気流通部となる間隔を有して平行に配設した平板状の多数枚のフィンと、該多数枚のフィンを貫通させた多数本の伝熱管と、該多数本の伝熱管の両端を貫通させると共に前記多数本の伝熱管の開口部を開口させた前記多数枚のフィンの両側に配設した夫々の管板と、該夫々の管板に開口させた前記開口部を覆うように入出側水室とターン側水室とを設けて固定させた入出側水室ケーシングとターン側水室ケーシングと、前記入出側水室に連通して前記入出側水室ケーシングに突設させた入口管と出口管と、前記入出側水室と前記ターン側水室とを仕切る複数枚の仕切板と、を備え、前記入出側水室は前記入口管と前記出口管との夫々の内側を仕切板で仕切り、前記ターン側水室は中央辺で仕切ることにより前記入出側水室と前記ターン側水室と前記多数本の伝熱管で構成される液体流通路を二往復させることを特徴とする二往復流通路を備えた熱交換器。
【請求項２】
前記液体流通路を流通する液体は海水であり、前記伝熱管は海水に対して耐蝕性を備えたチタン又はチタン合金で形成したことを特徴とする請求項１に記載の二往復流通路を備えた熱交換器。
【考案の詳細な説明】
【技術分野】
【０００１】
本考案は、二往復流通路を備えた熱交換器に関するものであり、更に詳細には、例えば、多数枚のフィンの間の空気流通部を通過する空気を多数の伝熱管に流通させる海水により冷却するための二往復流通路を備えた熱交換器に関するものである。
【背景技術】
【０００２】
従来、この種の熱交換器は各種産業におけるプラントなどで熱の発生する大型装置の冷却をするために設けられているが、熱交換効率のみが考慮され一方通行のものや、一往復のみの流通路のものが汎用されていた。
【０００３】
例えば、海水入口ノズル９および海水出口ノズル１２を有する一方のフレーム１と他方のフレーム２との間に、四隅に通路孔３，３…を有する所定枚数のプレート４，４…をガスケット５，５…を介して積層し、他方のフレーム２に各プレート４，４…の通路孔３，３…によって形成される海水の集合通路１１と連通開口するように補給水入口ノズル１４を設け、この補給水入口ノズル１４から海水の集合通路１１内に低温の海水又は清水を補給水として流入させるようにしたもの（特許文献１参照）や、各伝熱プレートの接触部分が短絡しないように絶縁処理を施したことを特徴とするプレート型熱交換器、ならびに該プレート型熱交換器の伝熱プレートを電極として直流電流を印加する電源を設け、陽極プレートと陰極プレートとを交互に配置するもの（特許文献２参照）や、本体胴１１、複数の冷却管１３、支え板１６、水室を形成する水室カバー１７、冷却管１３の両端部を支持する管板１５を含む熱交換器本体２０と、直流電流を供給可能な外部直流電源装置４０と、該冷却水流入水室カバー１７ａに電気的に絶縁した状態で取り付けられた不溶性電極３０と、電位を検出する照合電極３１と、を含み、該外部直流電源装置４０の直流電流出力回路の正極を該不溶性電極３０と接続し、該外部直流電源装置４０の直流電流出力回路の負極を、管板１５、及び該支え板１６に接続し、海水を介して該冷却水流入水室カバー１７、管板１５、及び該冷却管１３に防食電流を供給するもの（特許文献３参照）等が開示されている。
【特許文献１】特開２００２−１０７０９５号公報
【特許文献２】特開２００４−１７６０８８号公報
【特許文献３】特開２００７−８５５９９号公報
【考案の開示】
【考案が解決しようとする課題】
【０００４】
然し乍ら、特許文献１に記載のものは、海水を流通させるものであるが、他の流体用の間隙流路を海水用の間隙流路が一方通行で通水させているものであり、特許文献２に記載のものも、海水を流通させるものであるが、流路と流路との間を相互に一方通行で流水させているもので、スライムやスケールの汚れ防止を目的としているものであり、特許文献３に記載のものも、海水を流通させる復水器であり、海水が排気蒸気の間を一方通行で通水させているものであり、一方通行で通水させているものや一往復の流水路を持つものは高効率であるが、大量の海水を流水させるため装置そのものが大型化して、消費エネルギーも膨大なものであった。
【課題を解決するための手段】
【０００５】
前記課題に鑑み鋭意研鑚の結果、本考案の二往復流通路を備えた熱交換器は、空気流通部となる間隔を有して平行に配設した平板状の多数枚のフィンと、多数枚のフィンを貫通させた多数本の伝熱管と、多数本の伝熱管の両端を貫通させると共に開口部を開口させた多数枚のフィンの両側に配設した管板と、管板に開口させた開口部を覆うように入出側水室とターン側水室とを設けて固定させた入出側水室ケーシングとターン側水室ケーシングと、入出側水室に連通して入出側水室ケーシングに突設させた入口管と出口管と、入出側水室とターン側水室とを仕切る複数枚の仕切板と、を備え、入出側水室は入口管と出口管との内側を仕切板で仕切り、ターン側水室は中央辺を仕切板で仕切ることにより入出側水室とターン側水室と多数本の伝熱管で構成される液体流通路を二往復させるものであり、液体流通路を流通する液体は海水であり、伝熱管は海水に対して耐蝕性を備えたチタン又はチタン合金で形成されるものである。
【考案の効果】
【０００６】
本考案の二往復流通路を備えた熱交換器は、入出側水室とターン側水室とを仕切る複数の仕切板により入口管と入出側水室とと多数本の伝熱管とターン側水室と出口管とで構成される液体流通路が二往復させることにより、液体流通路を流通する液体の量を少量とできることから、装置そのものを小型化できると共に、省エネルギー化が図れるもので、極めて実用性の高い考案である。
【考案を実施するための最良の形態】
【０００７】
以下、本考案の二往復流通路を備えた熱交換器の実施例を図面を用いて詳細に説明すると、図１は本考案の二往復流通路を備えた熱交換器の実施例の構成を説明する全体説明図である。
【０００８】
本考案は、二往復流通路を備えた熱交換器に関するものであり、更に詳細には、例えば、多数枚のフィンの間の空気流通部を通過する空気を多数の伝熱管に流通させる海水により冷却するための二往復流通路を備えた熱交換器に関するものであり、請求項１に記載の二往復流通路を備えた熱交換器は、夫々空気流通部となる間隔を有して平行に配設した平板状の多数枚のフィン１と、該多数枚のフィン１を貫通させた多数本の伝熱管２と、該多数本の伝熱管２の両端を貫通させると共に前記多数本の伝熱管２の開口部を開口させた前記多数枚のフィン１の両側に配設した夫々の管板３と、該夫々の管板３に開口させた前記開口部を覆うように入出側水室４ａとターン側水室５ａとを設けて固定させた入出側水室ケーシング４とターン側水室ケーシング５と、前記入出側水室４ａに連通して前記入出側水室ケーシング４に突設させた入口管６と出口管７と、前記入出側水室４ａと前記ターン側水室５ａとを仕切る複数枚の仕切板８と、を備え、前記入出側水室４ａは前記入口管６と前記出口管７との夫々の内側を仕切板８で仕切り、前記ターン側水室５ａは中央辺で仕切ることにより前記入出側水室４ａと前記ターン側水室５ａと前記多数本の伝熱管２で構成される液体流通路を二往復させることを特徴とするものである。
【０００９】
更に、請求項２に記載の二往復流通路を備えた熱交換器は、請求項１に記載の二往復流通路を備えた熱交換器において、前記液体流通路を流通する液体は海水であり、前記伝熱管２は海水に対して耐蝕性を備えたチタン又はチタン合金で形成したことを特徴とするものである。
【実施例】
【００１０】
即ち、本考案の二往復流通路を備えた熱交換器は、各種産業におけるプラントなどで大量の熱の発生する大型装置の冷却をするためものであり、大量の熱の発生する大型装置の近傍に配置して冷却させるものであり、実施例では、縦１３０５ｍｍ、横４７５ｍｍ、長さ２６８０ｍｍ程度の長立方体形状のものであるが、その形状はサイズは問わないものである。
【００１１】
そして、多数枚のフィン１は、大型装置から発生する大量の熱により加熱された空気を流通させるように間隔を有して平行に多数枚配設した平板状の伝熱性に優れたアルミニウム等のもので、多数枚のフィン１の間隔が夫々空気流通部となるもので、後述する多数本の伝熱管２を貫通させているものである。
【００１２】
次に、多数本の伝熱管２は、夫々規則的に多数枚のフィン１を貫通させているもので、実施例では１０９５ｍｍ×４７５ｍｍ程度のフィン１の面に対して１６８本を縦横に略等間隔で貫通させており、伝熱管２の長さは２２７７ｍｍ程度のものである。
【００１３】
次いで、管板３は、多数枚のフィン１の両側に配設したもので、多数枚のフィン１を貫通させた多数本の伝熱管２の両端を貫通させると共に、夫々の伝熱管２の開口部を両側の管板３の外側面で開口させたものである。
【００１４】
更に、入出側水室ケーシング４とターン側水室ケーシング５とは、両側の管板３に開口させた多数本の伝熱管２の開口部を夫々覆うと共に夫々スペースを設けて夫々形成したもので、両側の管板３と入出側水室ケーシング４とターン側水室ケーシング５と水室ケーシングとの間のスペースは入出側水室４ａとターン側水室５ａと成るものである。
【００１５】
更には、入口管６と出口管７とは、入出側水室ケーシング４に突設させているもので、後述する流通液体の流入口と送出口に成るもので、入出側水室４ａに連通しているものである。
【００１６】
そして、複数枚の仕切板８は、入出側水室４ａとターン側水室５ａを仕切るものであり、入出側水室ケーシング４では突設させた入口管６と出口管７との夫々の内側で夫々仕切板８で仕切り、ターン側水室５ａでは、略中央で仕切ったものであり、このことにより、液体流通路は二往復流通路と成るものである。
【００１７】
次いで、液体の流水の状態を説明すると、図１に図示する図示する実施例では、下方に設けた入口管６から流入した液体は入出側水室４ａの入口管６の内側の仕切板８で仕切られた水室Ａに流入し、水室Ａから複数の伝熱管２を通水してターン側水室５ａの中央辺の仕切板８で仕切られたターン側水室５ａの下方の水室Ｂ流入し、水室Ｂに流入した液体はターンして複数の伝熱管２を通水して入出側水室４ａの入口管６の内側と出口管７の内側との両側を夫々の仕切板８で仕切られた水室Ｃに流入して、次に、水室Ｃに流入した液体はターンして複数の伝熱管２を通水してターン側水室５ａの中央辺の仕切板８で仕切られたターン側水室５ａの上方の水室Ｄに流入し、更に、水室Ｄに流入した液体はターンして複数の伝熱管２を通水して片側水室の出口管７の内側の近傍を仕切板８で仕切られた水室Ｅに流入して出口管７から放出されるものである。
【００１８】
つまり、本考案の二往復流通路を備えた熱交換器の液体流通路は、入口管６と出口管７と多数本の伝熱管２と複数の仕切板８で仕切られた複数の水室により熱交換器内を二往復させるものである。
【００１９】
更には、液体流通路を流通する液体は海水を用いるもので、伝熱管２は海水に対して耐蝕性を備えたチタン又はチタン合金で形成したものである。
【産業上の利用可能性】
【００２０】
本考案の二往復流通路を備えた熱交換器は、入出側水室とターン側水室とを仕切る複数の仕切板により、入口管と入出側水室と多数本の伝熱管とターンが水室と出口管とで構成される液体流通路が二往復することにより、プラント等に備えられた熱を発生させる装置に小型化させて配設すると共に、省エネルギー化が図れるものである。
【図面の簡単な説明】
【００２１】
【図１】図１は本考案の二往復流通路を備えた熱交換器の実施例の構成を説明する全体説明図である
【符号の説明】
【００２２】
１      フィン
２      伝熱管
３      管板
４      入出側水室ケーシング
４ａ    入出側水室
５      ターン側水室ケーシング
５ａ    ターン側水室
６      入口管
７      出口管
８      仕切板
Ａ〜Ｅ  水室
【図１】
0003138870.tif 000003